(57)【特許請求の範囲】
【請求項１】
通信端末から所定の画像データに係るサムネイルデータの要求を受信する受信手段と、
第１の画像データにおける人物の画像を検出する検出手段と、
前記検出手段によって検出された前記人物の画像を含むサムネイルデータを作成する作成手段と、
前記作成されたサムネイルデータを、前記通信端末に送信する送信手段と、
前記所定の画像データに係る画像の一部の領域であって予め定められた所定領域の位置を示す所定領域情報を管理する端末管理手段と、
を有し、
前記端末管理手段は、検出された前記人物の画像が前記所定領域の画像である所定領域画像に含まれていない場合であって、検出された前記人物の画像が含まれている他の領域である特定領域の画像である特定領域画像に含まれているときには、前記所定の画像における前記特定領域の位置を示す特定領域情報を、前記所定領域情報に代えて管理し、
前記作成手段は、前記端末管理手段が前記所定領域情報に代えて前記特定領域情報を管理したことに基づき、前記第１の画像データおよび当該第１の画像データとは異なる第２の画像データのそれぞれに関して、前記特定領域情報で示される前記特定領域画像に係るサムネイルデータを作成する
ことを特徴とする画像管理システム。
【請求項２】
前記所定領域画像に前記人物の画像が含まれている場合には、前記作成手段は、当該所定領域画像に係るサムネイルデータを作成することを特徴とする請求項１に記載の画像管理システム。
【請求項３】
前記受信手段は、前記所定の画像データの撮影開始日時および撮影終了日時を示す情報を受信し、
前記作成手段は、前記撮影開始日時および前記撮影終了日時の間に撮影された前記第１の画像データおよび前記第２の画像データに対してサムネイルデータを作成する請求項１または２に記載の画像管理システム。
【請求項４】
請求項３に記載の画像管理システムであって、
前記第１の画像データおよび前記第２の画像データの撮影日時の情報を管理する画像管理手段と、を有し、
前記作成手段は、前記撮影開始日時および前記撮影終了日時の間の撮影日時を示す前記第１の画像データおよび前記第２の画像データに対してサムネイルデータを作成することを特徴とする画像管理システム。
【請求項５】
請求項１乃至４のいずれか一項に記載の画像管理システムであって、
前記作成手段によって作成されたサムネイルデータを識別するためのサムネイル識別情報、及び当該サムネイルデータが作成された元の画像データを識別するための画像識別情報を関連付けて管理するサムネイル管理手段を有し、
前記送信手段は、前記サムネイル識別情報及び前記作成されたサムネイルデータを、前記通信端末に送信することを特徴とする画像管理システム。
【請求項６】
前記受信手段は、前記サムネイル識別情報を受信した前記通信端末から送信された当該サムネイル識別情報を受信し、
前記送信手段は、前記受信されたサムネイル識別情報に対応する画像識別情報で示される元の画像データを、前記通信端末に送信する
ことを特徴とする請求項５に記載の画像管理システム。
【請求項７】
前記画像データは、全天球パノラマ画像データであることを特徴とする請求項１乃至６のいずれか一項に記載の画像管理システム。
【請求項８】
請求項７に記載の画像管理システムと、
被写体を撮像して前記全天球パノラマ画像データを得る撮像装置と、
を有することを特徴とする画像通信システム。
【請求項９】
画像を管理する画像管理システムが実行する画像管理方法であって、
前記画像管理システムは、
所定の画像データに係る画像の一部の領域であって予め定められた所定領域の位置を示す所定領域情報を管理する端末管理手段を有し、
通信端末から前記所定の画像データに係るサムネイルデータの要求を受信する受信ステップと、
第１の画像データにおける人物の画像を検出する検出ステップと、
検出された前記人物の画像が前記所定領域の画像である所定領域画像に含まれていない場合であって、検出された前記人物の画像が含まれている他の領域である特定領域の画像である特定領域画像に含まれているときには、前記端末管理手段によって管理された前記所定領域情報を、前記所定の画像における前記特定領域の位置を示す特定領域情報に変更する変更ステップと、
前記所定領域情報が前記特定領域情報に変更された場合、前記第１の画像データおよび当該第１の画像データとは異なる第２の画像データのそれぞれに関して、前記特定領域情報で示される前記特定領域画像に係るサムネイルデータを作成する作成ステップと、
前記作成されたサムネイルデータを、前記通信端末に送信する送信ステップと、
を実行することを特徴とする画像管理方法。
【請求項１０】
コンピュータに、請求項９に記載の各ステップを実行させることを特徴とするプログラム。
【発明の詳細な説明】
【技術分野】
【０００１】
本発明は、画像管理システム、画像管理方法、画像通信システム及びプログラムに関するものである。
【背景技術】
【０００２】
近年、一度の撮影で、３６０°の全天球パノラマ画像を得る特殊なデジタルカメラが提供されている（特許文献１参照）。
【０００３】
このデジタルカメラは、全天球パノラマ画像を得るが、そのままでは画像が湾曲して利用者が見えづらいため、スマートフォン等が全天球パノラマ画像の一部である所定領域画像を表示することで、利用者は従来のデジタルカメラで撮影された画像と同じ平面画像を閲覧することができる。
【発明の概要】
【発明が解決しようとする課題】
【０００４】
しかしながら、上記所定領域画像は、工場出荷時に予め定められた部分の画像に固定されているため、仮に、人物等が映っていない場合は、利用者は、所定領域画像が何を表しているのか分からない。そのため、この何を表しているのか分からない所定領域画像のサムネイルが表示されても、閲覧者は困惑してしまうという課題が生じる。
【課題を解決するための手段】
【０００５】
請求項１に係る発明は、通信端末から所定の画像データに係るサムネイルデータの要求を受信する受信手段と、第１の画像データにおける人物の画像を検出する検出手段と、前記検出手段によって検出された前記人物の画像を含むサムネイルデータを作成する作成手段と、前記作成されたサムネイルデータを、前記通信端末に送信する送信手段と、前記所定の画像データに係る画像の一部の領域であって予め定められた所定領域の位置を示す所定領域情報を管理する端末管理手段と、を有し、前記端末管理手段は、検出された前記人物の画像が前記所定領域の画像である所定領域画像に含まれていない場合であって、検出された前記人物の画像が含まれている他の領域である特定領域の画像である特定領域画像に含まれているときには、前記所定の画像における前記特定領域の位置を示す特定領域情報を、前記所定領域情報に代えて管理し、前記作成手段は、前記端末管理手段が前記所定領域情報に代えて前記特定領域情報を管理したことに基づき、前記第１の画像データおよび当該第１の画像データとは異なる第２の画像データのそれぞれに関して、前記特定領域情報で示される前記特定領域画像に係るサムネイルデータを作成することを特徴とする画像管理システムである。
【発明の効果】
【０００６】
以上説明したように本発明によれば、画像管理システムは、閲覧者の通信端末に対して、人物の画像を含むサムネイルデータを送信することができるため、閲覧者は、サムネイルを閲覧した場合、何か表されているのか分からずに困惑するということを解消することができる。
【図面の簡単な説明】
【０００７】
【図１】（ａ）は撮影装置の左側面図であり、（ｂ）は撮影装置の正面図であり、（ｃ）は撮影装置の平面図である。
【図２】撮影装置の使用イメージ図である。
【図３】（ａ）は撮影装置で撮影された半球画像（前）、（ｂ）は撮影装置で撮影された半球画像（後）、（ｃ）はメルカトル図法により表された画像を示した図である。
【図４】（ａ）メルカトル画像で球を被う状態を示した概念図、（ｂ）全天球パノラマ画像を示した図である。
【図５】全天球パノラマ画像を３次元の立体球とした場合の仮想カメラ及び所定領域の位置を示した図である。
【図６】（ａ）は図４の立体斜視図、（ｂ）はディスプレイに所定領域の画像が表示された通信端末を示す図である。
【図７】所定領域情報と所定領域画像との関係を示した図である。
【図８】本発明の実施形態に係る画像通信システムの概略図である。
【図９】撮影装置のハードウェア構成図である。
【図１０】スマートフォンの場合の通信端末のハードウェア構成図である。
【図１１】画像管理システム及び通信端末のハードウェア構成図である。
【図１２】本実施形態の処理の概略を示した図である。
【図１３】画像データの登録及び取得の処理の概略を示した図である。
【図１４】拠点管理テーブルを示す概念図である。
【図１５】端末管理テーブルを示す概念図である。
【図１６】撮影管理テーブルを示す概念図である。
【図１７】画像管理テーブルを示す概念図である。
【図１８】サムネイル管理テーブルを示す概念図である。
【図１９】拠点レイアウトマップの概念図である。
【図２０】撮影予約の処理を示すシーケンス図である。
【図２１】撮影指示を行なう処理を示したシーケンス図である。
【図２２】レイアウトマップの表示の処理を示すシーケンス図である。
【図２３】撮影画像データの表示処理を示すシーケンス図である。
【図２４】日程表画面を示す図である
【図２５】日程表画面を示す図である。
【図２６】特定拠点の状況を表す拠点状況画面である。
【図２７】特定拠点における所定領域画像を示す図である。
【図２８】特定拠点の状況を表す拠点状況画面である。
【図２９】特定拠点の状況を表す拠点状況画面である。
【発明を実施するための形態】
【０００８】
以下、図面を用いて、本発明の実施形態について説明する。
【０００９】
＜＜実施形態の概略＞＞
＜全天球パノラマ画像の生成方法＞
図１乃至図７を用いて、全天球パノラマ画像の生成方法について説明する。
【００１０】
まず、図１を用いて、撮影装置１の外観を説明する。撮影装置１は、全天球（３６０°）パノラマ画像の元になる撮影画像を得るためのデジタルカメラである。なお、図１（ａ）は撮影装置の左側面図であり、図１（ｂ）は撮影装置の正面図であり、図１（ｃ）は撮影装置の平面図である。
【００１１】
図１（ａ）に示されているように、撮影装置１は、人間が片手で持つことができる大きさである。また、図１（ａ），（ｂ），（ｃ）に示されているように、撮影装置１の上部には、正面側（前側）に撮像素子１０３ａ及び背面側（後側）に撮像素子１０３ｂが設けられている。また、図１（ｂ）に示されているように、撮影装置１の正面側には、シャッターボタン等の操作部１１５が設けられている。
【００１２】
次に、図２を用いて、撮影装置１の使用状況を説明する。なお、図２は、撮影装置の使用イメージ図である。撮影装置１は、図２に示されているように、ユーザが手に持ってユーザの周りの被写体を撮影するために用いられる。この場合、図１に示されている撮像素子１０３ａ及び撮像素子１０３ｂによって、それぞれユーザの周りの被写体が撮像されることで、２つの半球画像を得ることができる。
【００１３】
次に、図３及び図４を用いて、撮影装置１で撮影された画像から全天球パノラマ画像が作成されるまでの処理の概略を説明する。なお、図３（ａ）は撮影装置で撮影された半球画像（前側）、図３（ｂ）は撮影装置で撮影された半球画像（後側）、図３（ｃ）はメルカトル図法により表された画像（以下、「メルカトル画像」という）を示した図である。図４（ａ）はメルカトル画像で球を被う状態を示した概念図、図４（ｂ）は全天球パノラマ画像を示した図である。
【００１４】
図３（ａ）に示されているように、撮像素子１０３ａによって得られた画像は、後述の魚眼レンズ１０２ａによって湾曲した半球画像（前側）となる。また、図３（ｂ）に示されているように、撮像素子１０３ｂによって得られた画像は、後述の魚眼レンズ１０２ｂによって湾曲した半球画像（後側）となる。そして、半球画像（前側）と、１８０度反転された半球画像（後側）とは、撮影装置１によって合成され、図３（ｃ）に示されているように、メルカトル画像が作成される。
【００１５】
そして、OpenGL ES（Open Graphics Library for Embedded Systems）が利用されることで、図４（ａ）に示されているように、メルカトル画像が球面を覆うように貼り付けられ、図４（ｂ）に示されているような全天球パノラマ画像が作成される。このように、全天球パノラマ画像は、メルカトル画像が球の中心を向いた画像として表される。なお、OpenGL ESは、２Ｄ(2-Dimensions)および３Ｄ(3-Dimensions)のデータを視覚化するために使用するグラフィックスライブラリである。なお、全天球パノラマ画像は、静止画であっても動画であってもよい。
【００１６】
以上のように、全天球パノラマ画像は、球面を覆うように貼り付けられた画像であるため、人間が見ると違和感を持ってしまう。そこで、全天球パノラマ画像の一部の所定領域（以下、「所定領域画像」という）を湾曲の少ない平面画像として表示することで、人間に違和感を与えない表示をすることができる。これに関して、図５及び図６を用いて説明する。
【００１７】
なお、図５は、全天球パノラマ画像を３次元の立体球とした場合の仮想カメラ及び所定領域の位置を示した図である。仮想カメラＩＣは、３次元の立体球として表示されている全天球パノラマ画像に対して、その画像を見るユーザの視点の位置に相当するものである。また、図６（ａ）は図５の立体斜視図、図６（ｂ）はディスプレイに表示された場合の所定領域画像を表す図である。また、図６（ａ）では、図４に示されている全天球パノラマ画像が、３次元の立体球ＣＳで表わされている。このように生成された全天球パノラマ画像が、立体球ＣＳであるとすると、図５に示されているように、仮想カメラＩＣが全天球パノラマ画像の中心に位置し、この中心から上下左右の回転と、この中心からの視点での回転(ROLL)の３軸の回転を行うことができる。全天球パノラマ画像における所定領域Ｔは、この全天球パノラマ画像における仮想カメラＩＣの位置の所定領域情報によって特定される。この所定領域情報は、座標ｘ(rH)、座標ｙ(rV)、及び画角α(angle)によって示される。また、所定領域Ｔのズームは、画角αの範囲（円弧）を広げたり縮めたりすることで表現することができる。
【００１８】
そして、図６（ａ）で示されているように、全天球パノラマ画像における所定領域Ｔの画像は、図６（ｂ）に示されているように、所定のディスプレイに、所定領域画像として表示される。図６（ｂ）に示されている画像は、初期設定（デフォルト）された所定領域情報（ｘ，ｙ，α）＝（０，０，３４）によって表された画像である。
【００１９】
ここで、図７を用いて、所定領域情報と所定領域画像の関係について説明する。なお、図７は、所定領域情報と所定領域画像の関係との関係を示した図である。図７に示されているように、仮想カメラＩＣの画角αによって表される所定領域Ｔの対角線画角２Ｌとした場合の中心点ＣＰが、所定領域情報の（ｘ，ｙ）パラメータとなる。ｆは仮想カメラＩＣから中心点ＣＰまでの距離である。そして、図７では、一般的に以下の式（１）で示される三角関数が成り立つ。
【００２０】
Ｌｆ＝ｔａｎ（α／２）・・・（式１）
＜画像通信システムの概略＞
続いて、図８を用いて、本実施形態の画像通信システムの構成の概略について説明する。図８は、本実施形態の画像通信システムの構成の概略図である。
【００２１】
図８に示されているように、本実施形態の画像通信システムは、撮影装置１、通信端末３、無線ルータ９ａ、画像管理システム５、及び通信端末７によって構成されている。
【００２２】
このうち、撮影装置１は、上述のように、全天球（３６０°）パノラマ画像を得るためのデジタルカメラである。なお、この撮影装置１は、一般的なデジタルカメラであっても良く、通信端末３にカメラが付いている場合は、通信端末３がデジタルカメラとなりうる。本実施形態では、説明を分かりやすくするために全天球パノラマ画像を得るためのデジタルカメラとして説明を行う。通信端末３は、撮影装置１への充電やデータ送受信を行なうクレードル(Cradle)の一例である。また、通信端末３は、接点を介して撮影装置１とデータ通信を行なうことができると共に、無線ルータ９ａ及び通信ネットワーク９を介して画像管理システム９とデータ通信を行なうことができる。なお、通信ネットワーク９は、例えば、インターネットである。
【００２３】
また、画像管理システム５は、例えば、サーバコンピュータであり、通信ネットワーク９を介して、通信端末３，５とデータ通信を行なうことができる。画像管理システム５には、OpenGL ESがインストールされており、な全天球パノラマ画像を作成する。また、画像管理システム５は、全天球パノラマ画像の一部の画像（所定領域画像又は後述の特定領域画像）のサムネイルデータを作成し、通信端末７にサムネイルデータ及び撮影画像データを提供する。
【００２４】
また、通信端末７は、例えば、ノートＰＣ(Personal Computer)であり、通信ネットワーク９を介して、画像管理システム５とデータ通信を行なうことができる。なお、画像管理システム５は、単一のサーバコンピュータによって構成されてもよいし、複数のサーバコンピュータによって構成されてもよい。
【００２５】
更に、撮影装置１、通信端末３、及び無線ルータ９ａは、衣服等の各販売拠点で設置者Ｘによって所定の位置に設置される。通信端末７は、各販売拠点を統括する本社等に設置され、画像管理システム５を介して送られて来る各拠点の状況を表した画像を表示することで、閲覧者Ｙが各拠点の状況を表した画像（以下、「拠点状況画像」と示す）を閲覧することができる。画像管理システム５は、各拠点の通信端末３から送られて来た撮影画像データに基づいてサムネイルデータを作成したり、通信端末７にサムネイルデータや撮影画像データを提供したりするサービスを行なうサービス会社等に設置されている。
【００２６】
＜実施形態のハードウェア構成＞
次に、図９乃至図１１を用いて、本実施形態の撮影装置１、通信端末３，７、及び画像管理システム５のハードウェア構成を詳細に説明する。
【００２７】
まず、図９を用いて、撮影装置１のハードウェア構成を説明する。なお、図９は、撮影装置のハードウェア構成図である。以下では、撮影装置１は、２つの撮像素子を使用した全方位撮影装置とするが、撮像素子は３つ以上いくつでもよい。また、必ずしも全方位撮影専用の装置である必要はなく、通常のデジタルカメラやスマートフォン等に後付けの全方位撮影ユニットを取り付けることで、実質的に撮影装置１と同じ機能を有するようにしてもよい。
【００２８】
図９に示されているように、撮影装置１は、撮像ユニット１０１、画像処理ユニット１０４、撮像制御ユニット１０５、マイク１０８、音処理ユニット１０９、ＣＰＵ(Central Processing Unit)１１１、ＲＯＭ(Read Only Memory)１１２、ＳＲＡＭ(Static Random Access Memory)１１３、ＤＲＡＭ(Dynamic Random Access Memory)１１４、操作部１１５、ネットワークＩ／Ｆ１１６、通信部１１７、及びアンテナ１１７ａによって構成されている。
【００２９】
このうち、撮像ユニット１０１は、各々半球画像を結像するための１８０°以上の画角を有する広角レンズ（いわゆる魚眼レンズ）１０２ａ，１０２ｂと、各広角レンズに対応させて設けられている２つの撮像素子１０３ａ，１０３ｂを備えている。撮像素子１０３ａ，１０３ｂは、魚眼レンズによる光学像を電気信号の画像データに変換して出力するＣＭＯＳ(Complementary Metal Oxide Semiconductor)センサやＣＣＤ(Charge Coupled Device)センサなどの画像センサ、この画像センサの水平又は垂直同期信号や画素クロックなどを生成するタイミング生成回路、この撮像素子の動作に必要な種々のコマンドやパラメータなどが設定されるレジスタ群などを有している。
【００３０】
撮像ユニット１０１の撮像素子１０３ａ，１０３ｂは、各々、画像処理ユニット１０４とはパラレルＩ／Ｆバスで接続されている。一方、撮像ユニット１０１の撮像素子１０３ａ，１０３ｂは、撮像制御ユニット１０５とは別に、シリアルＩ／Ｆバス（Ｉ２Ｃバス等）で接続されている。画像処理ユニット１０４及び撮像制御ユニット１０５は、バス１１０を介してＣＰＵ１１１と接続される。さらに、バス１１０には、ＲＯＭ１１２、ＳＲＡＭ１１３、ＤＲＡＭ１１４、操作部１１５、ネットワークＩ／Ｆ１１６、通信部１１７、及び電子コンパス１１８なども接続される。
【００３１】
画像処理ユニット１０４は、撮像素子１０３ａ，１０３ｂから出力される画像データをパラレルＩ／Ｆバスを通して取り込み、それぞれの画像データに対して所定の処理を施した後、これらの画像データを合成処理して、図３（ｃ）に示されているようなメルカトル画像のデータを作成する。
【００３２】
撮像制御ユニット１０５は、一般に撮像制御ユニット１０５をマスタデバイス、撮像素子１０３ａ，１０３ｂをスレーブデバイスとして、Ｉ２Ｃバスを利用して、撮像素子１０３ａ，１０３ｂのレジスタ群にコマンド等を設定する。必要なコマンド等は、ＣＰＵ１１１から受け取る。また、該撮像制御ユニット１０５は、同じくＩ２Ｃバスを利用して、撮像素子１０３ａ，１０３ｂのレジスタ群のステータスデータ等を取り込み、ＣＰＵ１１１に送る。
【００３３】
また、撮像制御ユニット１０５は、操作部１１５のシャッターボタンが押下されたタイミングで、撮像素子１０３ａ，１０３ｂに画像データの出力を指示する。撮影装置によっては、ディスプレイによるプレビュー表示機能や動画表示に対応する機能を持つ場合もある。この場合は、撮像素子１０３ａ，１０３ｂからの画像データの出力は、所定のフレームレート（フレーム／分）によって連続して行われる。
【００３４】
また、撮像制御ユニット１０５は、後述するように、ＣＰＵ１１１と協働して撮像素子１０３ａ，１０３ｂの画像データの出力タイミングの同期をとる同期制御手段としても機能する。なお、本実施形態では、撮影装置には表示部が設けられていないが、表示部を設けてもよい。
【００３５】
マイク１０８は、音を音（信号）データに変換する。音処理ユニット１０９は、マイク１０８から出力される音データをＩ／Ｆバスを通して取り込み、音データに対して所定の処理を施す。
【００３６】
ＣＰＵ１１１は、撮影装置１の全体の動作を制御すると共に必要な処理を実行する。ＲＯＭ１１２は、ＣＰＵ１１１のための種々のプログラムを記憶している。ＳＲＡＭ１１３及びＤＲＡＭ１１４はワークメモリであり、ＣＰＵ１１１で実行するプログラムや処理途中のデータ等を記憶する。特にＤＲＡＭ１１４は、画像処理ユニット１０４での処理途中の画像データや処理済みのメルカトル画像のデータを記憶する。
【００３７】
操作部１１５は、種々の操作ボタンや電源スイッチ、シャッターボタン、表示と操作の機能を兼ねたタッチパネルなどの総称である。ユーザは操作ボタンを操作することで、種々の撮影モードや撮影条件などを入力する。
【００３８】
ネットワークＩ／Ｆ１１６は、ＳＤカード等の外付けのメディアやパーソナルコンピュータなどとのインターフェース回路（ＵＳＢＩ／Ｆ等）の総称である。また、ネットワークＩ／Ｆ１１６としては、無線、有線を問わずにネットワークインタフェースである場合も考えられる。ＤＲＡＭ１１４に記憶されたメルカトル画像のデータは、このネットワークＩ／Ｆ１１６を介して外付けのメディアに記録されたり、必要に応じてネットワークＩ／ＦとなるネットワークＩ／Ｆ１１６を介して通信端末３等の外部装置に送信されたりする。
【００３９】
通信部１１７は、撮影装置１に設けられたアンテナ１１７ａを介して、WiFi(wireless fidelity)やＮＦＣ等の短距離無線技術によって、通信端末３等の外部装置と通信を行う。この通信部１１７によっても、メルカトル画像のデータを通信端末３の外部装置に送信することができる。
【００４０】
電子コンパス１１８は、地球の磁気から撮影装置１の方位及び傾き(Roll回転角)を算出し、方位・傾き情報を出力する。この方位・傾き情報はExifに沿った関連情報（メタデータ）の一例であり、撮影画像の画像補正等の画像処理に利用される。なお、関連情報には、画像の撮影日時、及び画像データのデータ容量の各データも含まれている。
【００４１】
次に、図１０を用いて、通信端末３のハードウェア構成を説明する。なお、図１０は、無線通信機能を有したクレードルの場合の通信端末３のハードウェア構成図である。
【００４２】
図１０に示されているように、通信端末３は、通信端末３全体の動作を制御するＣＰＵ３０１、基本入出力プログラムを記憶したＲＯＭ３０２、ＣＰＵ３０１のワークエリアとして使用されるＲＡＭ(Random Access Memory)３０３、ＣＰＵ３０１の制御にしたがってデータの読み出し又は書き込みを行うＥＥＰＲＯＭ（Electrically Erasable and Programmable ROM）３０４、ＣＰＵ３０１の制御に従って被写体を撮像し画像データを得る撮像素子としてのＣＭＯＳセンサ３０５を備えている。
【００４３】
なお、ＥＥＰＲＯＭ３０４には、ＣＰＵ３０１が実行するオペレーティングシステム(OS)、その他のプログラム、及び、種々データが記憶されている。また、ＣＭＯＳセンサ３０５の代わりにＣＣＤセンサを用いてもよい。
【００４４】
更に、通信端末３は、アンテナ３１３ａ、このアンテナ３１３ａを利用して無線通信信号により、無線ルータ９ａ等と通信を行う通信部３１３、ＧＰＳ（Global Positioning Systems）衛星又は屋内ＧＰＳとしてのＩＭＥＳ(Indoor MEssaging System）によって通信端末３の位置情報（緯度、経度、および高度）を含んだＧＰＳ信号を受信するＧＰＳ受信部３１４、及び、上記各部を電気的に接続するためのアドレスバスやデータバス等のバスライン３１０を備えている。
【００４５】
図１１を用いて、画像管理システム５及びノートＰＣの場合の通信端末７のハードウェア構成を説明する。なお、図１１は、画像管理システム５及び通信端末７のハードウェア構成図である。画像管理システム５、及び通信端末７は、ともにコンピュータであるため、以下では、画像管理システム５の構成について説明し、通信端末７の構成の説明は省略する。
【００４６】
画像管理システム５は、画像管理システム５全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、画像管理システム５用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク９を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図１１に示されているように電気的に接続するためのアドレスバスやデータバス等のバスライン５１０を備えている。
【００４７】
＜実施形態の処理の概略＞
次に、図１２を用いて、本実施形態の処理の概略について説明する。図１２は、本実施形態の処理の概略を示した図である。
【００４８】
まず、通信端末３が撮影装置１から、撮影画像データ、所定領域情報、及び関連情報を取得する（ステップＳ１）。そして、通信端末３は、画像管理システム５に対して、撮影画像データ、特定領域画像（または、所定領域画像）、関連情報、及びサムネイルデータを送信する（ステップＳ２）。次に、画像管理システム５は、撮影画像データから人物の画像を検出すると共に、この検出した画像を含むサムネイルデータを作成する（ステップＳ３）。そして、画像管理システム５は、所定領域情報で示される所定領域画像に代えて、人物の画像が検出された領域の画像である特定領域画像、関連情報、及び特定領域画像のサムネイルデータを送信する（ステップＳ４）。これにより、通信端末７側では、閲覧者Ｙは、人物の画像が含まれて変化のあるサムネイルを閲覧することができるため、変化のない又は変化の少ないサムネイルを閲覧して、何が映っているのか困惑するということを解消することができる。
【００４９】
＜＜実施形態の機能構成＞＞
次に、図９乃至図１１、及び図１３を用いて、本実施形態の機能構成について説明する。図１３は、本実施形態の画像通信システムの一部を構成する、撮影装置１、通信端末３、画像管理システム５、及通信端末７の各機能ブロック図である。図１３では、画像管理システム５が、通信ネットワーク９を介して、通信端末３及び通信端末７とデータ通信することができる。
【００５０】
＜撮影装置１の機能構成＞
図１３に示されているように、撮影装置１は、受付部１２、撮像部１３、集音部１４、接続部１８、及び記憶・読出部１９を有している。これら各部は、図９に示されている各構成要素のいずれかが、ＳＲＡＭ１１３からＤＲＡＭ１１４上に展開された撮影蔵置用のプログラムに従ったＣＰＵ１１１からの命令によって動作することで実現される機能又は手段である。
【００５１】
また、撮影装置１は、図９に示されているＲＯＭ１１２、ＳＲＡＭ１１３、及びＤＲＡＭ１１４によって構築される記憶部１０００を有している。
【００５２】
（撮影装置１の各機能構成）
次に、図９及び図１３を用いて、撮影装置１の各機能構成について更に詳細に説明する。
【００５３】
撮影装置１の受付部１２は、主に、図９に示されている操作部１１５及びＣＰＵ１１１の処理によって実現され、利用者（図８では、設置者Ｘ）からの操作入力を受け付ける。
【００５４】
撮像部１３は、主に、図９に示されている撮像ユニット１０１、画像処理ユニット１０４、及び撮像制御ユニット１０５、並びにＣＰＵ１１１の処理によって実現され、風景等を撮像し、撮影画像データを得る。
【００５５】
集音部１４は、図９に示されている１０８及び音処理ユニット１０９、並びにＣＰＵ１１１の処理によって実現され、撮影装置１の周囲の音を収音する。
【００５６】
接続部１８は、主に、電気接点、及びＣＰＵ１１１の処理によって実現され、通信端末３からの電源供給を受けると共に、データ通信を行う。
【００５７】
記憶・読出部１９は、主に、図９に示されているＣＰＵ１１１の処理によって実現され、記憶部１０００に各種データ（または情報）を記憶したり、記憶部１０００から各種データ（または情報）を読み出したりする。
【００５８】
＜通信端末３の機能構成＞
図１３に示されているように、通信端末３は、送受信部３１、接続部３８、及び記憶・読出部３９を有している。これら各部は、図１０に示されている各構成要素のいずれかが、ＥＥＰＲＯＭ３０４からＲＡＭ３０３上に展開された通信端末３用プログラムに従ったＣＰＵ３０１からの命令によって動作することで実現される機能又は手段である。
【００５９】
また、通信端末３は、図１０に示されているＲＯＭ３０２、ＲＡＭ３０３、及びＥＥＰＲＯＭ３０４によって構築される記憶部３０００を有している。
【００６０】
（通信端末３の各機能構成）
次に、図１０及び図１３を用いて、通信端末３の各機能構成について更に詳細に説明する。
【００６１】
通信端末３の送受信部３１は、主に、図１０に示されている通信部３１３及びＣＰＵ３０１の処理によって実現され、無線ルータ９ａ及び通信ネットワーク９を介して、画像管理システム５と各種データ（または情報）の送受信を行う。
【００６２】
接続部３８は、主に、電気接点、及びＣＰＵ３０１の処理によって実現され、通信端末３に電源供給すると共に、データ通信を行う。
【００６３】
記憶・読出部３９は、主に、図１０に示されているＣＰＵ３０１の処理によって実現され、記憶部３０００に各種データ（または情報）を記憶したり、記憶部３０００から各種データ（または情報）を読み出したりする。
【００６４】
＜画像管理システムの機能構成＞
次に、図１１及び図１３を用いて、画像管理システム５の各機能構成について詳細に説明する。画像管理システム５は、送受信部５１、人物検出部５２、作成部５３、生成部５４、及び記憶・読出部５９を有している。これら各部は、図１１に示されている各構成要素のいずれかが、ＨＤ５０４からＲＡＭ５０３上に展開された画像管理システム５用プログラムに従ったＣＰＵ５０１からの命令によって動作することで実現される機能又は手段である。
【００６５】
また、画像管理システム５は、図１１に示されているＲＡＭ５０３、及びＨＤ５０４によって構築される記憶部５０００を有している。この記憶部５０００には、拠点管理ＤＢ５００１、端末管理ＤＢ５００２、撮影管理ＤＢ５００３、画像管理ＤＢ５００４、及びサムネイル管理ＤＢ５００５が構築されている。このうち、拠点管理ＤＢ５００１は、後述の拠点管理テーブルによって構成されている。端末管理ＤＢ５００２は、後述の撮影管理テーブルによって構成されている。撮影管理ＤＢ５００３は、撮影管理テーブルによって構成されている。画像管理ＤＢ５００４は、後述の画像管理テーブルによって構成されている。サムネイル管理ＤＢ５００５は、サムネイル管理テーブルによって構成されている。
【００６６】
（拠点管理テーブル）
図１４は、拠点管理テーブルを示す概念図である。この拠点管理テーブルでは、地域ＩＤ、地域名、拠点ＩＤ、拠点名、拠点のレイアウトマップのファイル名、及び、装置ＩＤが関連付けて記憶されて管理されている。このうち、地域ＩＤは、地域を識別するための地域識別情報の一例である。地域は、例えば、関東、東京、渋谷区、ニューヨーク州、ニューヨーク市等の一定の範囲を示す。拠点ＩＤは、拠点を識別するための拠点識別情報の一例である。拠点名は、渋谷店等の店舗名や、渋谷会場等の会場名等を示す。レイアウトマップは、図１９に示されているように、各拠点のレイアウトを示し、２次元座標で詳細に拠点内の位置を特定することができる。なお、図１９は、拠点レイアウトマップの概念図である。装置ＩＤは、撮影装置１を識別するための装置識別情報の一例である。レイアウトマップのデータは、記憶部５０００に記憶されている。
【００６７】
（端末管理テーブル）
図１５は、端末管理テーブルを示す概念図である。この端末管理テーブルでは、装置ＩＤ毎に、装置設置位置情報、及び所定領域情報が関連付けて記憶されて管理されている。このうち、装置設置位置情報は、例えば、図１９に示されているように、２次元座標で示された拠点レイアウトマップ上における撮影装置の設置位置を示す。所定領域情報は、図７で説明した所定領域情報である。この端末管理テーブルにおける装置ＩＤ、装置設置位置情報、及び所定領域情報は、閲覧者Ｙが設置者Ｘから予め取得した情報である。設置者Ｘは、各撮影装置１を拠点内の所定の位置に設置する際に、閲覧者Ｙに電子メール等で伝える。
【００６８】
（撮影管理テーブル）
図１６は、撮影管理テーブルを示す概念図である。この撮影管理テーブルでは、拠点ＩＤ毎に、撮影タイトル、撮影開始日時、及び撮影終了日時が関連付けて記憶されて管理されている。このうち、撮影タイトルは、閲覧者によって入力されたタイトルであり、閲覧者によって複数の撮影画像データから所望の撮影画像データを抽出する際に利用される。撮影開始日時は、閲覧者によって入力された日時であり、撮影装置１が撮影を開始する（又は開始した）日時を示す。撮影終了日時は、閲覧者によって入力された日時であり、撮影装置１が撮影を終了する（又は終了した）日時を示す。
【００６９】
（画像管理テーブル）
図１７は、画像管理テーブルを示す概念図である。この画像管理テーブルでは、装置ＩＤ毎に、画像ＩＤ、撮影画像データのファイル名、及び撮影日時が関連付けて記憶されて管理されている。このうち、画像ＩＤは、撮影画像データを識別するための画像識別情報の一例である。撮影画像データのファイル名は、この関連付けられている画像ＩＤで示される撮影画像データのファイル名である。撮影日時は、この関連付けられている撮影画像データが装置ＩＤで示される撮影装置１で撮影された日時である。撮影画像データは、記憶部５０００に記憶されている。
【００７０】
（サムネイル管理テーブル）
図１８は、サムネイル管理テーブルを示す概念図である。このサムネイル管理テーブルでは、画像ＩＤ毎に、サムネイルＩＤ、及び特定領域情報が関連付けて記憶されて管理されている。このうち、サムネイルＩＤは、この関連付けられている画像ＩＤで示される画像データに基づいて作成されたサムネイルデータを識別するためのサムネイル識別情報の一例である。サムネイルデータのファイル名は、この関連付けられているサムネイルＩＤで示されるサムネイルデータのファイル名である。特定領域情報は、この関連づけられている画像ＩＤで示される画像データにおいて、人物検出後に、サムネイルデータが作成された特定領域を示す。例えば、図６（ａ）の全天球パノラマ画像における所定領域Ｔの画像が、図６（ｂ）に示されているが、サムネイルデータが作成される場合、この所定領域Ｔの画像である図６（ｂ）のサムネイルデータが作成される。
【００７１】
（画像管理システムの各機能構成）
次に、図１１及び図１３を用いて、画像管理システム５の各機能構成について詳細に説明する。
【００７２】
画像管理システム５の送受信部５１は、主に、図１１に示されているネットワークＩ／Ｆ５０９及びＣＰＵ５０１の処理によって実現され、通信ネットワーク９を介して通信端末３、又は通信端末７と各種データ（または情報）の送受信を行う。
【００７３】
検出部５２は、主に、図１１に示されているＣＰＵ５０１の処理によって実現され、撮影画像データにおける人物の画像を検出する。この人物検出は、ＳＶＭ(Support Vector Machine)の人物検出方式等により行なわれる。
【００７４】
作成部５３は、主に、図１１に示されているＣＰＵ５０１の処理によって実現され、検出部５２によって検出された人物の画像を含むサムネイルデータを作成する。
【００７５】
生成部５４は、後述の図２４乃至図２６、図２８及び図２９に示されているような、特定拠点の状況を表す拠点状況画面を生成する。
【００７６】
記憶・読出部５９は、主に、図１１に示されているＨＤＤ５０５、及びＣＰＵ５０１の処理によって実現され、記憶部５０００に各種データ（または情報）を記憶したり、記憶部５０００から各種データ（または情報）を読み出したりする。
【００７７】
＜通信端末７の機能構成＞
次に、図１１及び図１３を用いて、通信端末７の機能構成について詳細に説明する。通信端末７は、送受信部７１、受付部７２、表示制御部７３、及び、記憶・読出部７９を有している。これら各部は、図１１に示されている各構成要素のいずれかが、ＨＤ５０４からＲＡＭ５０３上に展開された通信端末７用プログラムに従ったＣＰＵ５０１からの命令によって動作することで実現される機能又は手段である。
【００７８】
また、通信端末７は、図１１に示されているＲＡＭ５０３、及びＨＤ５０４によって構築される記憶部７０００を有している。
【００７９】
（通信端末７の各機能構成）
次に、図１３を用いて、通信端末７の各機能構成について詳細に説明する。
【００８０】
通信端末７の送受信部７１は、主に、図１１に示されているネットワークＩ／Ｆ５０９及びＣＰＵ５０１の処理によって実現され、通信ネットワーク９を介して画像管理システム５と各種データ（または情報）の送受信を行う。
【００８１】
受付部７２は、主に、図１１に示されているキーボード５１１及びマウス５１２、並びにＣＰＵ５０１の処理によって実現され、利用者（図８では、閲覧者Ｙ）からの操作入力を受け付ける。
【００８２】
表示制御部７３は、主に、図１１に示されているＣＰＵ５０１の処理によって実現され、通信端末７のディスプレイ５０８に各種画像を表示させるための制御を行なう。
【００８３】
記憶・読出部７９は、主に、図１１に示されているＨＤＤ５０４、及びＣＰＵ５０１の処理によって実現され、記憶部７０００に各種データ（または情報）を記憶したり、記憶部７０００から各種データ（または情報）を読み出したりする。
【００８４】
＜＜実施形態の処理又は動作＞＞
続いて、図２０乃至図２９を用いて、本実施形態の処理又は動作について説明する。まず、図２０を用いて、閲覧者Ｙが通信端末７を利用して、撮影装置１の撮影予約の処理を説明する。図２０は、撮影予約の処理を示すシーケンス図である。また、図２４及び図２５は、日程表画面を示す図である。図２６、図２８及び図２９は、特定拠点の状況を表す拠点状況画面である。図２７は、特定拠点における所定領域画像を示す図である。
【００８５】
図２０に示されているように、閲覧者Ｙが、通信端末７に拠点ＩＤを入力すると、受付部７２が拠点ＩＤの入力を受け付ける（ステップＳ１１）。この場合、通信端末７のディスプレイ５０８上には、図２４（ａ）に示されているように、拠点ＩＤを入力するための入力欄７１１０が表示されるため、閲覧者Ｙは、入力欄７１１０に閲覧したい店舗等である拠点の拠点ＩＤを入力する。これにより、送受信部７１は、画像管理システム５に対して、日程表の要求を送信する（ステップＳ１２）。この要求には、ステップＳ１１で入力された拠点ＩＤが含まれている。これにより、画像管理システム５の送受信部５１は、日程表の要求を受信する。
【００８６】
次に、画像管理システム５の記憶・読出部５９は、送受信部５１によって受信された拠点ＩＤを検索キーとして撮影管理テーブル（図１６参照）を検索することにより、対応する撮影タイトル、撮影開始日時、及び撮影終了日時を読み出すと共に、拠点ＩＤを検索キーとして拠点管理テーブル（図１４参照）を検索することにより、対応する拠点名を読み出す（ステップＳ１３）。そして、生成部５４が、ステップＳ１３によって読み出された各種情報に基づいて、図２４（ｂ）に示されているような日程表画面を作成し、送受信部５１が通信端末７に日程表画面のデータを送信する（ステップＳ１４）。この際、日程表画面データと共に、拠点ＩＤも送信される。これにより、通信端末７の送受信部７１は、日程表画面のデータを受信する。
【００８７】
次に、通信端末７では、表示制御部７３が、ディスプレイ５０８に、図２４（ｂ）に示されているような日程表画面を表示させる（ステップＳ１５）。日程表画面には、日毎に時間の表が表示され、予約ボタン７２９０が表示されている。そして、受付部７２は、閲覧者Ｙから撮影予約を受け付ける（ステップＳ１６）。具体的には、閲覧者Ｙが所望の日の項目７２１０を押下した後、予約ボタン７２９０を押下すると、表示制御部７３が、図２５（ａ）に示されているような「撮影の予約」画面を表示する。そして、閲覧者Ｙが、撮影タイトル（ここでは、「土日セール」）、撮影の開始時間（ここでは、１０：００）、及び、撮影の終了時間（ここでは、１８：００）を入力し、「ＯＫ」ボタン７３８０を押下すると、送受信部７１が、画像管理システム５に対して、撮影予約を送信する（ステップ１７）。この撮影予約には、拠点ＩＤ、撮影タイトル、撮影開始日時、及び撮影終了日時が含まれている。これにより、画像管理システム５の送受信部５１は、撮影予約を受信する。
【００８８】
次に、画像管理システム５の記憶・読出部５９は、撮影管理テーブル（図１６参照）に、新たなレコードとして、撮影予約の内容を記憶する（ステップＳ１８）。以上により、撮影予約の処理が終了する。
【００８９】
続いて、図２１を用いて、画像管理システム５が撮影管理テーブル（図１６参照）に基づいて、通信端末３に撮影指示を行なう処理について説明する。図２１は、撮影指示を行なう処理を示したシーケンス図である。
【００９０】
図２１に示されているように、画像管理システム５の送受信部５１は、拠点ＩＤで示される拠点内の全ての通信端末３に対して、撮影指示を送信する（ステップＳ３１）。この撮影指示には、撮影開始日時及び撮影終了日時が含まれている。これにより、通信端末３は、撮影指示を受信する。
【００９１】
次に、通信端末３は、撮影開始時間になると、撮影装置１に対して、撮影開始指示を送信する（ステップＳ３２）。これにより、撮影装置１の送受信部１１は、撮影開始指示を受信する。
【００９２】
次に、通信端末３では、例えば、１０分毎に撮影を行い、通信端末３に対して、自己の装置ＩＤ、撮影画像データ、関連情報、及び所定領域情報を送信する（ステップＳ３３）。関連情報は、実際の撮影日時等を示す。所定領域情報は、撮影装置１の工場出荷時に予め定められた視点方向を示している。これにより、通信端末３の送受信部３１は、装置ＩＤ、撮影画像データ、関連情報、及び所定領域情報を受信する。
【００９３】
次に、通信端末３の送受信部３１は、画像管理システム５に対して、画像の登録要求を送信する（ステップＳ３４）。この画像の登録要求には、ステップＳ３で受信された装置ＩＤ、撮影画像データ、関連情報、及び所定領域情報が含まれている。これにより。画像管理システム５の送受信部５１は、画像の登録要求を受信する。そして、画像管理システム５では、記憶・読出部５９が、ステップＳ３４によって受信された撮影画像データに対して、新たに画像ＩＤを割り当てる（ステップＳ３５）。
【００９４】
次に、記憶・読出部５９は、各テーブルに対して各情報を記録して管理する（ステップＳ３６）。具体的には、記憶・読出部５９は、端末管理テーブル（図１５参照）に対して、装置ＩＤに対応する所定領域情報を上書きして管理する。また、記憶・読出部５９は、画像管理テーブル（図１７参照）に対して、新たなレコードとして、装置ＩＤ、画像ＩＤ、画像データのファイル名、及び撮影日時を関連付けて記憶する。このうち、装置ＩＤは、ステップＳ３４によって受信されたＩＤである。画像ＩＤは、ステップＳ３５によって割り当てられたＩＤである。画像データのファイル名は、ステップ３４によって受信された撮影画像データのファイル名である。撮影日時は、ステップＳ３４によって受信された関連情報に含まれる撮影日時である。
【００９５】
次に、送受信部５１は、通信端末３に対して、登録完了の通知を送信する（ステップＳ３７）。この通知には、画像ＩＤが含まれている。これにより、通信端末３の送受信部３１は、登録完了の通知を受信する。そして、通信端末３の記憶・読出部３９は、記憶部３０００に画像ＩＤを記憶する（ステップＳ３８）。
【００９６】
続いて、図２２を用いて、レイアウトマップの表示の処理について説明する。図２２は、レイアウトマップの表示の処理を示すシーケンス図である。
【００９７】
図２２に示されているように、閲覧者Ｙが、通信端末７に拠点ＩＤを入力すると、受付部７２が拠点ＩＤの入力を受け付ける（ステップＳ５１）。この場合、通信端末７のディスプレイ５０８上には、図２４（ａ）に示されているように、拠点ＩＤを入力するための入力欄７１１０が表示されるため、閲覧者Ｙは、入力欄７１１０に閲覧したい店舗等である拠点の拠点ＩＤを入力する。これにより、送受信部７１は、画像管理システム５に対して、日程表の要求を送信する（ステップＳ５２）。この要求には、ステップＳ５１で入力された拠点ＩＤが含まれている。これにより、画像管理システム５の送受信部５１は、日程表の要求を受信する。
【００９８】
次に、画像管理システム５の記憶・読出部５９は、送受信部５１によって受信された拠点ＩＤを検索キーとして撮影管理テーブル（図１６参照）を検索することにより、対応する撮影タイトル、撮影開始日時、及び撮影終了日時を読み出すと共に、拠点ＩＤを検索キーとして拠点管理テーブル（図１４参照）を検索することにより、対応する拠点名を読み出す（ステップＳ５３）。そして、生成部５４が、ステップＳ１３によって読み出された各種情報に基づいて、図２５（ｂ）に示されているような日程表画面を作成し、送受信部５１が通信端末７に日程表画面のデータを送信する（ステップＳ５４）。この際、日程表画面データと共に、拠点ＩＤも送信される。これにより、通信端末７の送受信部７１は、日程表画面のデータを受信する。
【００９９】
次に、通信端末７では、表示制御部７３が、ディスプレイ５０８に、図２５（ｂ）に示されているような日程表画面を表示させる（ステップＳ５５）。ここでは、図２４（ｂ）と異なり、既に撮影予約されていた場合の日程表画面が示されている。図２５（ｂ）では、例えば、ステップＳ１６〜Ｓ１８の処理で行なわれた撮影日程の内容を示す日程情報７４１０等が表示されている。
【０１００】
次に、閲覧者Ｙが、例えば、日程情報７４１０を押下すると、受付部７２が、日程情報７４１０に係るレイアウトマップの取得を受け付ける（ステップＳ５６）。そして、送受信部７１が、画像管理システム５に対して、レイアウトマップを要求する（ステップＳ５７）。この要求には、拠点ＩＤ、撮影開始日時、及び撮影終了日時が含まれている。これにより、画像管理システム５の送受信部５１は、レイアウトマップの要求を受信する。
【０１０１】
次に、画像管理システム５の記憶・読出部５９は、ステップＳ５７によって受信された拠点ＩＤを検索キーとして、拠点管理テーブル（図１４参照）を検索することにより、対応するレイアウトアップのファイル名を読み出す（ステップ５８）。また、記憶・読出部５９は、ステップＳ５７によって受信された拠点ＩＤを検索キーとして、拠点管理テーブル（図１４参照）を検索することにより、対応するレイアウトアップのファイル名、及び装置ＩＤを読み出す（ステップ５８）。また、記憶・読出部５９は、読み出した装置ＩＤを検索キーとして、端末管理テーブル（図１５参照）を検索することにより、対応する装置設置位置情報、及び所定領域情報を読み出す（ステップＳ５８）。
【０１０２】
次に、生成部５４は、ステップＳ５８によって読み出された各情報を利用して、レイアウトマップを生成する（ステップ５９）。そして、送受信部５１は、通信端末7に対して、レイアウトマップのデータを送信する（ステップＳ６０）。これにより、通信端末７の送受信部７１は、レイアウトマップのデータを受信する。そして、通信端末７では、表示制御部７３が、ディスプレイ５０８に、図２６（ａ）に示されているような拠点状況画面を表示させる（ステップＳ６１）。この拠点状況画面の上部には、その拠点に設置された全ての撮影装置を示すアイコンを含んだレイアウトが表示されている。
【０１０３】
続いて、図２３を用いて、撮影画像データの表示処理を説明する。図２３は、撮影画像データの表示処理を示すシーケンス図である。
【０１０４】
まず、図２３に示されているように、閲覧者Ｙが、図２６（ｂ）に示すように、所望の撮影装置のアイコンを選択すると、受付部７２が、選択された撮影装置を受け付ける（ステップＳ７１）。これにより、送受信部７１は、画像管理システム５に対して、選択された撮影装置が撮影した撮影画像データ及びサムネイルデータの要求を送信する（ステップＳ７２）。この要求には、選択されたアイコンに係る撮影装置の装置ＩＤが含まれている。これにより、画像管理システム５の送受信部５１は、撮影画像データ及びサムネイルデータの要求を受信する。
【０１０５】
次に、画像管理システム５の記憶・読出部５９は、ステップＳ７２によって受信された装置ＩＤを検索キーとして画像管理テーブル（図１７参照）を検索することにより、対応する最初の画像データのファイル名を読み出すと共に、このファイル名の撮影画像データを記憶部５０００から読み出す（ステップＳ７３）。そして、検出部５２は、撮影画像データ内から人物を検出する処理を行なう（ステップＳ７４）。以降、検出部５２が、人物を検出することができ、かつ、この人物が予め端末管理テーブルで管理されている所定領域情報で示される所定領域画像に含まれていない場合について、続けて説明する。
【０１０６】
記憶・読出部５９は、端末管理テーブル（図１５参照）において、ステップＳ７２によって受信された装置ＩＤに対応する所定領域情報を、人物が含まれる特定領域情報に変更する（ステップＳ７５）。この場合、最初の所定領域情報で示される所定領域画像は、図２７（ａ）に示されているように、人物が映らないで柱が映っているが、人物が映っている特定領域情報に変更された後は、この特定領域情報に固定され、図２７（ｂ），（ｃ），（ｄ）に順次示されているように、時系列的に人物が映る特定領域画像となる。
【０１０７】
次に、作成部５３は、特定領域情報で示される特定領域画像に基づいて、新たにサムネイルデータを作成する（ステップＳ７６）。この際、作成部５３は、選択された日時の最初の撮影画像データだけでなく、撮影開始日時と撮影終了日時の間に撮影された全ての撮影画像データに対して、同様の特定領域画像に基づいて、新たにサムネイルデータを作成する。また、撮影画像データが複数ある場合、作成部５３は、端末管理テーブル（図１５参照）が所定領域情報に代えて特定領域情報を管理したことに基づき、複数の画像データのそれぞれに関して、特定領域情報で示される特定領域画像に係るサムネイルデータを作成する。なお、所定領域画像に人物の画像が含まれている場合には、作成部５３は、工場出荷時の予め定められた所定領域画像のサムネイルデータを作成する。
【０１０８】
次に、記憶・読出部５９は、全てのサムネイルデータに対して、それぞれ新たにサムネイルＩＤを割り当てる（ステップＳ７７）。そして、記憶・読出部５９は、サムネイル管理テーブル（図１８参照）に対して、サムネイルデータ毎に、新たなレコードとして、サムネイルデータの元の撮影画像データを示す画像ＩＤ、ステップＳ７７で割り当てられたサムネイルＩＤ、及びステップ７６で作成されたサムネイルデータのファイル名を関連付けて管理する（ステップＳ７８）。また、この際に、記憶・読出部５９は、元の撮影画像データの撮影日時（画像管理テーブル参照）、装置設置位置（端末管理テーブル参照）、及び所定領域情報（端末管理テーブル参照）を関連付けて管理することで、サムネイルデータに関する情報を、サムネイル管理テーブルで一括管理する。
【０１０９】
次に、画像管理システム５の送受信部５１は、通信端末７に対して、拠点名、選択された日時の最初の撮影画像データ、撮影開始日時と撮影終了日時との間の全てのサムネイルデータ、及び撮影日時を送信する（ステップＳ７９）。この場合、撮影画像データと共に、この撮影画像データの画像ＩＤが送信され、各サムネイルデータと共に、各サムネイルデータのサムネイルＩＤが送信される。これにより、通信端末７の送受信部７１は、拠点名、選択された日時の最初の撮影画像データ、撮影開始日時と撮影終了日時との間の全てのサムネイルデータ、及び撮影日時を受信する。
【０１１０】
次に、通信端末７の表示制御部７３は、図２８に示されているように、拠点状況画面として、図２８に示されている拠点状況画像の下側に、特定領域画像、並びに、各サムネイル及び撮影日時を表示する（ステップＳ８０）。なお、最初は、所定領域情報から特定領域情報に変更されることで、図２７（ａ）から図２７（ｃ）に変更された特定領域画像が表示されている。
【０１１１】
次に、閲覧者Ｙが、図２９に示されているように、左から４番目のサムネイルを選択すると、受付部７２は、この選択を受け付ける（ステップＳ８１）。そして、送受信部７１は、画像管理システム５に対して、特定領域画像のデータの要求を行なう（ステップＳ８２）。この要求には、ステップＳ８１で選択されたサムネイルのサムネイルＩＤが含まれている。これにより、画像管理システム５の送受信部５１は、特定領域画像のデータの要求を受信する。
【０１１２】
次に、画像管理システム５では、記憶・読出部５９が、ステップＳ８２で受信されたサムネイルＩＤを検索キーとして、サムネイル管理テーブル（図１８参照）を検索することにより、対応する画像ＩＤを読み出す（ステップ８３）。更に、記憶・読出部５９が、この画像ＩＤを検索キーとして画像管理テーブル（図１７参照）を検索することにより、対応する撮影画像データのファイル名を読み出し、これにより、記憶部５０００からこのファイル名の撮影画像データを読み出す（ステップＳ８３）。
【０１１３】
次に、送受信部５１は、ステップＳ８３で読み出された撮影画像データから、特定領域情報に基づいて、特定領域画像を生成する(ステップＳ８４)。そして、送受信部５１は、通信端末７に対して特定領域画像のデータを送信する（ステップＳ８５）。この際、ステップＳ８３によって読み出された撮影画像データの画像ＩＤも送信される。これにより、通信端末７の送受信部７１は、撮影画像データ及び画像ＩＤを受信する。
【０１１４】
次に、通信端末７では、表示制御部７３が、図２９に示されているように、ディスプレイ５０８に、閲覧者Ｙによって選択されたサムネイルに係る特定領域画像を表示する（ステップＳ８６）。以上より、閲覧者Ｙは、所望の撮影日時の特定領域画像を閲覧することができる。
【０１１５】
＜＜本実施形態の主な効果＞＞
以上説明したように本実施形態によれば、設置者Ｘが、どの向きに撮影装置１を設置しても、閲覧者Ｙは、人物が映るサムネイルを閲覧することができる。これにより、閲覧者Ｙは、複数のサムネイルから人物が映って変化のあるサムネイルを選択することができる。
【０１１６】
また、閲覧者Ｙが、サムネイルを選択すると、図２９に示されているように、このサムネイルに応じた特定領域画像が表示されるため、客がどのような商品に興味があるかを把握することができる。
【０１１７】
〔実施形態の補足〕
更に、上記実施形態における画像管理システム５、及びリンク情報管理システム７は、単一のコンピュータによって構築されてもよいし、各部（機能、手段、又は記憶部）を分割して任意に割り当てられた複数のコンピュータによって構築されていてもよい。
【０１１８】
また、上記実施形態の各プログラムが記憶されたＣＤ−ＲＯＭ等の記録媒体、並びに、これらプログラムが記憶されたＨＤ５０４は、いずれもプログラム製品(Program Product)として、国内又は国外へ提供されることができる。
【符号の説明】
【０１１９】
１  撮影装置
３  通信端末
５  画像管理システム
７  通信端末
９  通信ネットワーク
５１  送受信部（送信手段の一例、受信手段の一例）
５２  検出部（検出手段の一例）
５３  作成部（作成手段の一例）
５４  生成部（生成手段の一例）
５９  記憶・読出部
５０８  ディスプレイ（表示手段の一例）
５０００  記憶部
５００１  拠点管理ＤＢ（拠点管理手段の一例）
５００２  端末管理ＤＢ（端末管理手段の一例）
５００３  撮影管理ＤＢ（撮影管理手段の一例）
５００４  画像管理ＤＢ（画像管理手段の一例）
５００５  サムネイル管理ＤＢ（サムネイル管理手段の一例）
【先行技術文献】
【特許文献】
【０１２０】
【特許文献１】特開２０１４−１３１２１５号公報
【図１】
0006665440.tif 000002
【図２】
0006665440.tif 000003
【図３】
0006665440.tif 000004
【図４】
0006665440.tif 000005
【図５】
0006665440.tif 000006
【図６】
0006665440.tif 000007
【図７】
0006665440.tif 000008
【図８】
0006665440.tif 000009
【図９】
0006665440.tif 000010
【図１０】
0006665440.tif 000011
【図１１】
0006665440.tif 000012
【図１２】
0006665440.tif 000013
【図１３】
0006665440.tif 000014
【図１４】
0006665440.tif 000015
【図１５】
0006665440.tif 000016
【図１６】
0006665440.tif 000017
【図１７】
0006665440.tif 000018
【図１８】
0006665440.tif 000019
【図１９】
0006665440.tif 000020
【図２０】
0006665440.tif 000021
【図２１】
0006665440.tif 000022
【図２２】
0006665440.tif 000023
【図２３】
0006665440.tif 000024
【図２４】
0006665440.tif 000025
【図２５】
0006665440.tif 000026
【図２６】
0006665440.tif 000027
【図２７】
0006665440.tif 000028
【図２８】
0006665440.tif 000029
【図２９】
0006665440.tif 000030